(57)【特許請求の範囲】
【請求項１】
原稿を原稿パスへ給紙する給紙ローラと、前記原稿パス上に設けられた読取点を構成する読取ガラスと、前記原稿が前記給紙ローラから前記読取点を通り過ぎる位置まで当該原稿の背面を案内するように配置され当該原稿を略円弧状に案内する略円弧面とこれに続く直線面とを有する読取ガイドと、前記読取点を通り過ぎた前記原稿を搬送方向下流に搬送する搬送ローラとを備え、前記読取ガイドは、前記略円弧面と直線面との交点部が前記読取点に対して搬送方向上流側の近傍に位置し、前記直線面が前記読取ガラスに対向する位置となるように配置し、前記搬送ローラは当該搬送ローラと前記交点部とによって走行位置が規制される原稿が前記読取ガラス下流端に近接した位置となるように配置することを特徴とする読取装置。
【請求項２】
前記読取ガイドの略円弧面に対向配置された略円弧状の原稿ガイドとを備え、この原稿ガイドは、搬送される原稿の先端を前記読取ガラス上に案内する位置に配置されていることを特徴とする請求項１に記載の読取装置。
【発明の詳細な説明】
【０００１】
【産業上の利用分野】
本発明は、情報通信装置等において原稿読取に用いる読取装置に関する。
【０００２】
【従来の技術】
従来、読取系の原稿パスは直線状に形成され、読取点の前後にそれぞれ搬送ローラが配置されていた。読取の動作は、これらの搬送ローラにより直線状に搬送される原稿を読取点において読み取ることにより行われていた。
【０００３】
【発明が解決しようとする課題】
しかし、読取点の前後に配置する２本の搬送ローラは、相互に同期を取って駆動するように設計しているが、実際にはギヤの連結の振動により完全には同期がとれないため、原稿には２本の搬送ローラ間で送り量の相違により伸縮する状態が発生する。そのため、原稿が読取点においてばたつき、原稿の読取点に対する位置が変動し、読み取りに悪影響を与えていた。特に、縮小光学系の場合、原稿の読取点に対する変動が生じると、結像レンズから原稿までの光軸長さが変動するため、原稿の両端部の縦線がゆがむという悪影響が出ていた。
【０００４】
この問題を解決するには、読取点に読取ガラスを配置し、原稿の背面を板ばね状の原稿ガイドで読取ガラスに押しつけ、ばたつきを防止することが考えられる。しかしながら、このような原稿ガイドを設けると、原稿の詰りの原因となり、好ましくない。
【０００５】
本発明は、上述の問題点に鑑みて為されたもので、読取点を通過する原稿のばたつきを抑え、良好な読取画像を得ることのできる読取装置を提供することを目的とする。
【０００６】
【課題を解決するための手段】
請求項１の発明は上記問題点を解決するため、原稿が前記給紙ローラから読取点を通り過ぎる位置まで当該原稿の背面を案内するように配置され当該原稿を略円弧状に案内する略円弧面とこれに続く直線面とを有する読取ガイドと、前記読取点を通り過ぎた前記原稿を搬送方向下流に搬送する搬送ローラとを備え、前記読取ガイドは、前記略円弧面と直線面との交点部が前記読取点に対して搬送方向上流側の近傍に位置し、前記直線面が前記読取ガラスに対向する位置となるように配置し、前記搬送ローラは当該搬送ローラと前記交点部とによって走行位置が規制される原稿が前記読取ガラス下流端に近接した位置となるように配置するものである。
【０００７】
請求項２の発明は、上記構成に加えて、読取ガラスの上流に読取ガイドの略円弧面に対向するように略円弧状の原稿ガイドを配置し、更にその原稿ガイドの位置を、搬送される原稿の先端が前記読取ガラス上に案内される位置とするという構成を備えたものである。
【０００８】
【作用】
請求項１の発明は、原稿が前記給紙ローラから読取点を通り過ぎる位置まで当該原稿の背面を案内するように配置され当該原稿を略円弧状に案内する略円弧面とこれに続く直線面とを有する読取ガイドとを備え、この読取ガイドは、前記略円弧面と直線面との交点部が前記読取点に対して搬送方向上流側の近傍に位置する構成により、前記読取ガイドが略円弧面によって原稿を屈曲させながら案内するため、その略円弧面と直線面との交点部を通り過ぎた原稿の部分が直線面から離れ、原稿パス上の他の部材に接触した状態において、原稿の背面は前記読取ガイドの交点部に接触して位置を拘束された状態に保たれており、且つこの交点部は読取点近傍に位置するため、読取点における原稿のばたつきを抑制でき、良好な読取画像を得ることができる。また、読取点を通り過ぎた前記原稿を搬送方向下流に搬送する搬送ローラとを備え、この搬送ローラは当該搬送ローラと前記交点部とによって走行位置が規制される原稿が前記読取ガラス下流端に近接した位置となるように配置するため、原稿が搬送ローラで搬送される状態となった後は、原稿は交点部と搬送ローラとで拘束された状態となるため、ばたつくことがなく、読取点を通過する原稿面の位置が安定し良好な画像読取が行われる。
【０００９】
請求項２の発明は上述構成により、原稿ガイドで案内されてきた原稿先端が、滑らかな読取ガラスに当たって向きを変えるので、原稿パスを略円弧状にした場合でも、紙ジャムの発生を防止できる。
【００１０】
【実施例】
図１は本発明の一実施例による読取装置の概略断面図、図２〜図４はその読取装置における原稿の案内状況を説明する主要部の概略断面図である。なお、この読取装置は、ファクシミリ装置に組み込んだものを示しているが、本発明の読取装置の用途はファクシミリ装置に限定されるものではない。図１〜図４において、１は原稿台、２は原稿、３は原稿台１上の原稿を給紙する給紙ローラ、４は原稿を重送を防止するセパレータ、５は原稿台１から引き出された原稿を給紙ローラ３に押し付けて確実に搬送するピンチローラ、６は、給紙ローラ３から原稿の読取点Ａを越える位置までの原稿パスに沿って且つ原稿２の背面を案内するように設けられた読取ガイドである。この読取ガイド６は、原稿を略円弧状に案内する略円弧面７と、その下流に続く直線面８と、前記略円弧面７と直線面８との間の交点部９とを有している。この交点部９は通過する原稿に悪影響を与えないように表面に丸みを付けている。
【００１１】
１１は読取ガイド６の略円弧面７に対向するように配置された略円弧状の原稿ガイド、１２は原稿読取を行う読取ユニットである。この読取ユニット１２は、原稿ガイド１１の下流に配置され、読取点Ａを構成する読取ガラス１３と、その読取点Ａを照射する光源１４と、原稿からの反射光の光路変更を行うミラー１５、１６と、結像レンズ１７と、光電変換素子１８と、これらの各部品を収容するケース１９等を備えている。ここで、前記した読取ガイド６の直線面８は、読取ガラス１３の読取点Ａ上に位置するように、且つ読取ガラス１３に対して平行に配置されている。この直線面８と読取ガラス１３との間隔は、両者の間を原稿が支障なく通過しうる範囲で極力小さく設定されており、通常、１ｍｍ程度で定められている。また、交点部９は読取点Ａに対して搬送方向上流側の近傍に、且つ読取ガラス１３の上方に位置するように配置されている。読取点Ａと交点部９の間隔としては、５〜１０ｍｍ程度が好ましい。原稿ガイド１１の下端は読取ガラス１３に近接して且つ読取ガラス１４よりも高い位置となるように配置されており、その原稿ガイド１１で案内されながら搬送される原稿の先端が読取ガラス１３上に送られるようになっている。
【００１２】
２１は、読取ガラス１３の下流に配置された搬送ローラ、２２はピンチローラ、２３、２４はガイドである。この搬送ローラ２１及びピンチローラ２２の取付位置は、図３に示すように、その搬送ローラ２１及びピンチローラ２２と、読取ガイド６の交点部９とによって走行位置を規制される原稿２が読取ガラス１３の下流端１３ａにきわめて近接した位置となるか或いは接触するように、定められている。
【００１３】
図１において、２６は搬送ローラ２１の下流に配置されたガイド、２７はそのガイド２６上を走行する記録紙（図示せず）に対して受信情報を記録する記録手段、２８は記録紙押えである。ここで、読取ガイド６、原稿ガイド１１、読取ガラス１３、ガイド２３、２４、２６、搬送ローラ２１等は、給紙ローラ３で給紙された原稿を所定の経路を通って搬送する原稿パスを構成するが、この原稿パスの読取ガラス１３よりも下流の部分は、記録紙を搬送する記録紙パスも兼ねており、装置の小型化を図っている。なお、原稿台１の下方には、記録紙を原稿ガイド１１と読取ガラス１３との間から読取ガラス１３上に送り込む記録紙給紙機構（図示せず）が設けられている。
【００１４】
次に、上記構成の実施例による原稿読取動作を図２〜図４を参照して説明する。図２において、原稿の給紙初期には、給紙ローラ３で給紙される原稿２の先端2aが原稿ガイド１１で案内され、その原稿ガイド１１の後端を外れると、その下流に位置する読取ガラス１３上に移り、その読取ガラス１３で案内される。この時、この読取ガラス１３は表面が滑らかであるので紙ジャムを生じることはない。原稿２の先端２ａが、読取ガラス１３上を更に移動すると、図２に実線で示すように、原稿２が読取ガイド６の交点部９に接触し、その後は原稿２の背面がこの交点部９に押し付けられた状態で、且つ原稿２の先端２ａが読取ガラス１３に押し付けられた状態で原稿２は前進を続け、読取点Ａを通過する。更に原稿２が前進し、先端が読取ガラス１３の下流端１３ａを通りすぎた後は、原稿２の原稿面（下面）が読取ガラス１３の下流端１３ａに押し付けられた状態で前進し、その先端が搬送ローラ２１に送られる。
【００１５】
その後、図３に示すように、原稿先端が搬送ローラ２１とピンチローラ２２にニップされ、その搬送ローラ２１で搬送される状態となると、原稿２は読取ガイド６の交点部９と搬送ローラ２１で拘束された状態で走行を続ける。その後、原稿２の後端が給紙ローラ３を外れた後、図４に示すように原稿の後端２ｂが原稿ガイド１１で案内されている間は、原稿２は読取ガイド６の交点部９と搬送ローラ２１で拘束された状態で走行を続ける。以上のようにして、原稿２が読取ガラス１３の読取点Ａ上を通過し、その際に、読取ユニット１２による原稿読取が行われる。
【００１６】
ここで、原稿２の先端が読取点Ａを通過した後、搬送ローラ２１に達するまでの間はその原稿２は、背面を読取点Ａの近傍に配置している交点部９で拘束され、先端２ａ或いは原稿面を読取ガラス１３で拘束されるため、ばたつくことがなく、従って読取点Ａを通過する原稿面の位置が安定し良好な画像読取が行われる。また、原稿２が搬送ローラ２１で搬送される状態となった後は、図３、図４に示すように、原稿２は交点部９と搬送ローラ２１とで拘束された状態となるため、ばたつくことがなく、やはり読取点Ａを通過する原稿面の位置が安定し良好な画像読取が行われる。なお、図４において、原稿の後端２ｂが原稿ガイド１１の下流端を外れると、原稿後端が読取ガラス１３上に落ち、交点部９から離れるが、この時読取点Ａの下流には原稿後端のわずかな部分のみしか残っていないので、読取に支障はない。
【００１７】
【発明の効果】
以上の説明から明らかなように、請求項１の発明は、原稿が前記給紙ローラから読取点を通り過ぎる位置まで当該原稿の背面を案内するように配置され当該原稿を略円弧状に案内する略円弧面とこれに続く直線面とを有する読取ガイドとを備え、この読取ガイドは、前記略円弧面と直線面との交点部が前記読取点に対して搬送方向上流側の近傍に位置し、前記直線面が前記読取ガラスに対向する位置となるように配置するという構成としたことにより、読取ガイドの略円弧面を通り過ぎた原稿の部分が前記直線面から離れ、原稿パス上の他の部材に接触して拘束された状態となった状態においても、その後ろに位置する原稿の背面は前記読取ガイドの交点部に接触して位置を拘束された状態に保たれており、このため、読取点における原稿のばたつきが、その近傍の交点部によって抑制され、良好な読取画像を得ることができるという効果を有している。また、読取点を通り過ぎた前記原稿を搬送方向下流に搬送する搬送ローラとを備え、この搬送ローラは当該搬送ローラと前記交点部とによって走行位置が規制される原稿が前記読取ガラス下流端に近接した位置となるように配置するため、原稿が搬送ローラで搬送される状態となった後は、原稿は交点部と搬送ローラとで拘束された状態となるため、ばたつくことがなく、読取点を通過する原稿面の位置が安定し良好な画像読取が行われるという効果を有している。
【００１８】
さらに、請求項２の発明は、上記構成に加えて、読取ガラスの上流に読取ガイドの略円弧面に対向するように略円弧状の原稿ガイドを配置し、更にその原稿ガイドの位置を、搬送される原稿の先端が前記読取ガラス上に案内される位置とするという構成としたことにより、原稿ガイドで案内されてきた原稿先端が、滑らかな読取ガラスに当たって向きを変えることとなり、原稿パスを略円弧状にした場合でも、紙ジャムの発生を防止できるという効果を有している。
【図面の簡単な説明】
【図１】本発明の一実施例による読取装置の概略断面図
【図２】図１の読取装置の主要部を、原稿給紙開始時の状態で示す概略断面図
【図３】図１の読取装置の主要部を、通常の原稿読取時の状態で示す概略断面図
【図４】図１の読取装置の主要部を、原稿後端の通過時の状態で示す概略断面図
【符号の説明】
１  原稿台
２  原稿
３  給紙ローラ
４  セパレータ
６  読取ガイド
７  略円弧面
８  直線面
９  交点部
１１  原稿ガイド
１２  読取ユニット
１３  読取ガラス
２１  搬送ローラ
Ａ  読取点
【図１】
0003717974.tif 000002
【図２】
0003717974.tif 000003
【図３】
0003717974.tif 000004
【図４】
0003717974.tif 000005